(57)【要約】【課題】  高温時にバイメタル環が弁ディスクに叩かれないようにする。【解決手段】  内外輪弁座６，７と蓋部材５とにより形成する変圧室４内に弁ディスク１１を配置し、外輪弁座７の外周に形成した円錐状の斜面部１２に有端のバイメタル環１３を配置する。バイメタル環１３の外側に外周が外側の蓋部材５の内壁に当接する弾性部材としての有端の波型ばね環１４を配置し、高温時に拡開したバイメタル環１３の外周が波型ばね環１４の内周に当接してバイメタル環１３が波型ばね環１４により保持され、低温時に縮閉したバイメタル環１３の外周が波型ばね環１４から離間してバイメタル環１３が波型ばね環１４に干渉されなくなる。【選択図】  図１
2014098415.tif 000002
【特許請求の範囲】
【請求項１】
内外輪弁座と蓋部材とにより形成する変圧室内に弁ディスクを配置し、外輪弁座の外周に形成した円錐状の斜面部に有端のバイメタル環を配置し、斜面部と温度変化によるバイメタル環の拡開縮閉作用との協働によって、低温時にバイメタル環が縮閉して斜面部に沿って上動し弁ディスクを持上げて内外輪弁座から離座開弁させ、高温時にバイメタル環が拡開して斜面部に沿って下動し弁ディスクに干渉しなくなるものにおいて、バイメタル環の外側に外周が外側の蓋部材の内壁に当接する弾性部材を配置し、高温時に拡開したバイメタル環の外周が弾性部材の内周に当接してバイメタル環が弾性部材により保持され、低温時に縮閉したバイメタル環の外周が弾性部材から離間してバイメタル環が弾性部材に干渉されなくなることを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、バイメタルを用いてエアバインディングを解消できるようにしたものに関する。
【背景技術】
【０００２】
ディスク式スチームトラップは内外輪弁座からなる弁座面に対して離着座する弁ディスクを、弁ディスクの背後に形成した変圧室の圧力変化によって自力的に制御して開閉弁させ復水を自動的に排出するものである。このものにおいては、始動時に空気が流入してきても、蒸気の場合と同様に瞬時に閉弁してしまい、一旦閉弁すると空気は蒸気と異なり凝縮作用を起こさないので、その後は開弁できない、いわゆるエアバインディングが起こる。そこで、従来からバイメタルを用いてこのエアバインディングを解消することが行なわれている。これは、バイメタルの温度変化による湾曲作用を利用して、低温時に弁ディスクを強制的に持上げて開弁させ、高温時に弁ディスクに干渉しない様にしたものである。この一例が特許文献１に示されている。これは、外輪弁座の外周に形成した円錐状の斜面部に有端のバイメタル環を配置し、斜面部と温度変化によるバイメタル環の拡開縮閉作用との協働によってエアバインディングを解消するものである。すなわち、低温時にバイメタル環が縮閉して斜面部に沿って上動し弁ディスクを持上げて内外輪弁座から離座開弁させ、高温時にバイメタル環が拡開して斜面部に沿って下動し弁ディスクに干渉しなくなる。
【先行技術文献】
【特許文献】
【０００３】
【特許文献１】特公昭４７−６８２５号公報
【発明の概要】
【発明が解決しようとする課題】
【０００４】
上記従来のディスク式スチームトラップは、バイメタル環が磨耗したり破損したりする問題がある。これは、弁ディスクの内外輪弁座への着座閉弁時の衝撃や排出流体による流動抵抗により、高温時にバイメタル環が上下に激しく動揺するために、バイメタル環が弁ディスクに叩かれるためである。
【０００５】
したがって本発明が解決しようとする課題は、高温時にバイメタル環が弁ディスクに叩かれないようにすることである。
【課題を解決するための手段】
【０００６】
上記の課題を解決するために、本発明のディスク式スチームトラップは、内外輪弁座と蓋部材とにより形成する変圧室内に弁ディスクを配置し、外輪弁座の外周に形成した円錐状の斜面部に有端のバイメタル環を配置し、斜面部と温度変化によるバイメタル環の拡開縮閉作用との協働によって、低温時にバイメタル環が縮閉して斜面部に沿って上動し弁ディスクを持上げて内外輪弁座から離座開弁させ、高温時にバイメタル環が拡開して斜面部に沿って下動し弁ディスクに干渉しなくなるものにおいて、バイメタル環の外側に外周が外側の蓋部材の内壁に当接する弾性部材を配置し、高温時に拡開したバイメタル環の外周が弾性部材の内周に当接してバイメタル環が弾性部材により保持され、低温時に縮閉したバイメタル環の外周が弾性部材から離間してバイメタル環が弾性部材に干渉されなくなることを特徴とするものである。
【発明の効果】
【０００７】
本発明によれば、バイメタル環の外側に外周が外側の蓋部材の内壁に当接する弾性部材を配置し、高温時に拡開したバイメタル環の外周が弾性部材の内周に当接してバイメタル環が弾性部材により保持されるので、高温時にバイメタル環が上下に動揺しなくなり、高温時にバイメタル環が弁ディスクに叩かれないという優れた効果を生じる。
【図面の簡単な説明】
【０００８】
【図１】本発明の実施の形態に係わるディスク式スチームトラップの断面図である。
【図２】図１のＡ−Ａ断面図である。
【発明を実施するための形態】
【０００９】
以下、本発明の実施の形態について、図１と図２を参照して説明する。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク１１を変圧室４内に配置する。入口２と変圧室４は内輪弁座６に形成した入口通路９を介して連通し、変圧室４と出口３は環状溝８の一部から形成した出口通路１０を介して連通する。
【００１０】
外輪弁座７の外周に円錐状の斜面部１２と斜面部１２の上端部及び下端部にそれぞれ上側平面部１５及び下側平面部１６を形成し、有端のバイメタル環１３を配置する。バイメタル環１３の外側に外周が外側の蓋部材５の内壁に当接する弾性部材としての有端の波型ばね環１４を配置する。低温時にバイメタル環１３が縮閉して斜面部１２を上動し、弁ディスク１１を持上げて内外輪弁座６，７から離座開弁させ、上側平面部１５に載る。このとき、バイメタル環１３の外周が波型ばね環１４から離間してバイメタル環１３が波型ばね環１４に干渉されなくなる。高温時にバイメタル環１３が拡開して斜面部１２を下動し、弁ディスク１１に干渉しなくなり、下側平面部１６に載る。このとき、バイメタル環１３の外周が波型ばね環１４の内周に当接してバイメタル環１３が波型ばね環１４により保持される。
【００１１】
上記実施の形態の作動を説明する。トラップ本体が低温の場合、バイメタル環１３は縮閉して上側平面部１５に載り、弁ディスク１１を持上げて内外輪弁座６，７から離座開弁状態にし、低温の復水や空気を排出する。これにより、エアバインディングを解消する。このとき、バイメタル環１３の外周が波型ばね環１４から離間してバイメタル環１３が波型ばね環１４に干渉されなくなる。
【００１２】
そして高温復水が流入すれば、バイメタル環１３は拡開して斜面部１２を下動して下側平面部１６に載り、弁ディスク１１に関与しなくなる。このとき、バイメタル環１３の外周が波型ばね環１４の内周に当接してバイメタル環１３が波型ばね環１４により保持される。これにより、高温時にバイメタル環１３が上下に動揺しなくなり、高温時にバイメタル環１３が弁ディスク１１に叩かれないという優れた効果を生じる。以後周知のディスク式スチームトラップの作動原理に基づいて蒸気は逃さず復水のみを自動的に排出する。
【産業上の利用可能性】
【００１３】
本発明は、蒸気配管系に発生する復水を自動的に排出するディスク式スチームトラップに利用することができる。
【符号の説明】
【００１４】
１  本体
２  入口
３  出口
４  変圧室
５  蓋部材
６  内輪弁座
７  外輪弁座
８  環状溝
９  入口通路
１０  出口通路
１１  弁ディスク
１２  斜面部
１３  バイメタル環
１４  波型ばね環
１５  上側平面部
１６  下側平面部
【図１】
2014098415.tif 000003
【図２】
2014098415.tif 000004